(57)【特許請求の範囲】
【請求項１】
クラウン部の周囲に環状のひさし部を設けた帽子において、前記ひさし部の内周縁から外周縁までの領域に弾性モノフィラメントからなる複数本の保形リングを挿入し、これら保形リングを構成する弾性モノフィラメントの太さを種々異ならせ、最大径を有する弾性モノフィラメントからなる保形リングを前記ひさし部の内周縁側に配置し、それ以外の弾性モノフィラメントからなる保形リングを前記最大径を有する弾性モノフィラメントからなる保形リングよりも前記ひさし部の外周縁側に配置した帽子。
【請求項２】
前記弾性モノフィラメントの最大径が０．５ｍｍ〜４．０ｍｍであり、最小径が０．０７ｍｍ〜２．０ｍｍである請求項１に記載の帽子。
【請求項３】
前記弾性モノフィラメントが合成樹脂製である請求項１又は請求項２に記載の帽子。
【発明の詳細な説明】
【０００１】
【発明の属する技術分野】
本発明は、ひさし部を有する帽子に関し、更に詳しくは、コンパクトに折り畳んでも元の形状に復元可能な帽子に関する。
【０００２】
【従来の技術】
クラウン部の周囲にひさし部を設けた帽子は、ひさし部によって強い日差しから顔面や首筋を保護することができるため広く普及している。しかし、このようにひさし部を設けた帽子は、脱帽して持ち運ぶときにひさし部が嵩張って収納の邪魔になるため煩わしさを与えるようになる。
【０００３】
これに対して、ひさし部を有する帽子をコンパクトに折り畳んだり、ポケット等にねじ込んだり、或いはカバンに押し込んだりしても、着帽する時には皺のない元の形状に復元することが可能であれば、持ち運びを容易にして収納性を向上することができる。
【０００４】
しかしながら、従来の帽子は上記のようにひさし部を小さく折り畳んだりすると、元の形状に復元することが難しく、また、仮に復元できたとしても、皺が残ることによって、外観を醜くする結果になるという問題があった。
【０００５】
【発明が解決しようとする課題】
本発明の目的は、コンパクトに折り畳んでも皺を生じることなく簡単に元の形状に復元可能にした帽子を提供することにある。
【０００６】
【課題を解決するための手段】
上記目的を達成するための本発明の帽子は、クラウン部の周囲に環状のひさし部を設けた帽子において、前記ひさし部の内周縁から外周縁までの領域に弾性モノフィラメントからなる複数本の保形リングを挿入し、これら保形リングを構成する弾性モノフィラメントの太さを種々異ならせ、最大径を有する弾性モノフィラメントからなる保形リングを前記ひさし部の内周縁側に配置し、それ以外の弾性モノフィラメントからなる保形リングを前記最大径を有する弾性モノフィラメントからなる保形リングよりも前記ひさし部の外周縁側に配置したことを特徴とするものである。
【０００７】
このようにひさし部の内周縁から外周縁までの領域に弾性モノフィラメントからなる複数本の保形リングを挿入したことにより、帽子を小さく折り畳んでも、その拘束状態を解除すれば、弾性モノフィラメントの弾性回復力に基づいて皺を生じることなく簡単に元の形状に復元することができる。
【０００８】
また、全ての弾性モノフィラメントを太くした場合は良好な弾性回復力が得られるものの折り畳みが困難になり、逆に全ての弾性モノフィラメントを細くした場合には折り畳みが容易であるものの弾性回復力が不足することになるが、上記のように保形リングを構成する弾性モノフィラメントの太さを種々異ならせることにより、良好な弾性回復力と折り畳みの容易性とを両立することができる。
【０００９】
本発明において、クラウン部の形状を綺麗に復元するために、最大径を有する弾性モノフィラメントからなる保形リングをひさし部の内周縁側に配置する。
【００１０】
【発明の実施の形態】
以下、本発明の構成について添付の図面を参照して詳細に説明する。
図１は本発明の実施形態からなる帽子を示すものである。クラウン部１は頭部を覆うように碗状に形成されており、このクラウン部１の周囲に環状のひさし部２が放射状に設けられている。これらクラウン部１及びひさし部２は、合成繊維、綿、シルク等の布帛から構成されている。
【００１１】
クラウン部１及びひさし部２を構成する布帛３は、それぞれ二重構造になっている（図２参照）。ひさし部２の内周縁から外周縁までの領域には、その二重構造の布帛３，３の間に、合成樹脂製の弾性モノフィラメントからなる複数本の保形リング４ａ〜４ｃが挿入されている。これら保形リング４ａ〜４ｃは、それぞれ縫糸５の縫合により、位置ずれを生じないように固定されている。
【００１２】
保形リング４ａ〜４ｃを構成する弾性モノフィラメントの太さは互いに異なっており、ひさし部２の最も内周縁側に位置する保形リング４ａの弾性モノフィラメントが最大径を有している。本実施形態では、図示のように保形リング４ａの弾性モノフィラメントを最大径とする一方で、それ以外の弾性モノフィラメントの太さは保形リング４ａよりも細径で一定にすることができる。或いは、保形リング４ａ〜４ｃを構成する弾性モノフィラメントの太さをひさし部２の内周縁から外周端に向けて徐々に細くしても良い。
【００１３】
上述した帽子は、ひさし部２の内周縁から外周縁までの領域に弾性モノフィラメントからなる複数本の保形リング４ａ〜４ｃを備えているので、小さく折り畳んでも、その拘束状態を解除すれば、弾性モノフィラメントの弾性回復力に基づいて皺を生じることなく簡単に元の形状に復元することができる。特に、最大径を有する弾性モノフィラメントからなる保形リング４ａをひさし部２の最も内周縁側に配置しているので、この太い弾性モノフィラメントの弾性回復力によってクラウン部１の形状を綺麗に復元することができる。しかも、保形リング４ｂ，４ｃは保形リング４ａに比べて細くなっているので、帽子全体としての弾性力を抑えて折り畳み性を良好にすることができる。
【００１４】
弾性モノフィラメントを環状の保形リング４ａ〜４ｃに構成するには、その両端部を互いに接合することが好ましい。その接合方法としては、特に限定されないが、例えば図３（Ａ）〜（Ｃ）のような手段を採用することができる。
【００１５】
図３（Ａ）の接合方法は、リング状に湾曲させた弾性モノフィラメント４の両端部を突き合わせ、その突き合わせ部４０を溶着させたものである。
図３（Ｂ）の接合方法は、リング状に湾曲させた弾性モノフィラメント４の両端部をオーバーラップさせ、そのオーバーラップ部分をゴムチューブ又は塩化ビニル等の樹脂チューブ４１により被覆固定したものである。
【００１６】
図３（Ｃ）の接合方法は、リング状に湾曲させた弾性モノフィラメント４の両端部をオーバーラップさせ、そのオーバーラップ部分に合成樹脂製の粘着テープ４２を少しずつずらしながら巻き付けて固定したものである。
但し、弾性モノフィラメントを環状の保形リング４ａ〜４ｃに構成するにあたって、図４のように弾性モノフィラメント４の両端部を互いに固定しなくても良い。
【００１７】
弾性モノフィラメントの最大径は、０．５〜４．０ｍｍ、より好ましくは１．０〜３．５ｍｍの範囲に設定すると良い。フィラメント最大径を上記範囲に設定することにより、保形リング４ａ〜４ｃを小さく折り畳み可能にすると共に、原形に復元可能にする十分な弾性回復力を与えることができる。なお、弾性モノフィラメントの最小径は、０．０７〜２．０ｍｍ、より好ましくは０．３〜１．０ｍｍの範囲に設定すれば良い。
【００１８】
また、弾性モノフィラメントの材料としては、弾性を有する合成樹脂であれば特に限定されることはない。好ましくはナイロン、ポリエチレン、ポリプロピレン等を使用することができ、特にナイロンは最適である。これら合成樹脂材料は、弾性を有しながら軽量であるため帽子全体を軽量化することができ、かつ腐食しないため帽子をそのまま洗濯することができる。
【００２１】
上述した実施形態では保形リングが３本である場合について説明したが、本発明では保形リングの本数は特に限定されるものではなく、４本以上にすることも可能である。また、弾性モノフィラメントからなる保形リングは、ひさし部のみならず、クラウン部に挿入することも可能である。
【００２２】
【発明の効果】
以上説明したように本発明によれば、クラウン部の周囲に環状のひさし部を設けた帽子において、ひさし部の内周縁から外周縁までの領域に弾性モノフィラメントからなる複数本の保形リングを挿入し、これら保形リングを構成する弾性モノフィラメントの太さを種々異ならせ、最大径を有する弾性モノフィラメントからなる保形リングをひさし部の内周縁側に配置し、それ以外の弾性モノフィラメントからなる保形リングを最大径を有する弾性モノフィラメントからなる保形リングよりもひさし部の外周縁側に配置したので、帽子を小さく折り畳んでも、その拘束状態を解除すれば、弾性モノフィラメントの弾性回復力に基づいて皺を生じることなく簡単に元の形状に復元することができる。
【００２３】
また、保形リングを構成する弾性モノフィラメントの太さを種々異ならせているので、良好な弾性回復力と折り畳みの容易性とを両立することが可能であり、特に最大径を有する弾性モノフィラメントからなる保形リングをひさし部の内周縁側に配置した場合、その太い弾性モノフィラメントの弾性回復力によってクラウン部の形状を綺麗に復元することができる。
【図面の簡単な説明】
【図１】本発明の実施形態からなる帽子を一部切り欠いて示す斜視図である。
【図２】図１のＸ−Ｘ矢視断面図である。
【図３】（Ａ）〜（Ｃ）は、それぞれ弾性モノフィラメントの端部同士の接合方法を例示する側面図である。
【図４】非接合状態にした弾性モノフィラメントの両端部を示す側面図である。
【符号の説明】
１  クラウン部
２  ひさし部
３  布帛
４  弾性モノフィラメント
４ａ〜４ｃ  保形リング
５  縫糸
【図１】
0004169468.tif 000002
【図２】
0004169468.tif 000003
【図３】
0004169468.tif 000004
【図４】
0004169468.tif 000005